(57)【要約】      （修正有）【課題】一部の仮囲いを簡易に取外し可能とし、復旧を簡易に図るとともに、その構成部材の全てを複数の工事現場で繰り返し使用できる仮囲い支持構造を提供する。【解決手段】仮囲い支持構造において、地盤に着脱可能に打込まれるベース杭１０と、ベース杭１０の差込部１２に着脱可能に差込まれ、仮囲いを支持する差込棒２０とを有してなるもの。【選択図】図２
0003181764.tif 000002
【実用新案登録請求の範囲】
【請求項１】
仮囲い支持構造において、
地盤に着脱可能に打込まれるベース杭と、
ベース杭の差込部に着脱可能に差込まれ、仮囲いを支持する差込棒とを有してなることを特徴とする仮囲い支持構造。
【請求項２】
前記差込棒に着脱可能に挿着される支柱を有し、支柱は仮囲いが取付けられる仮囲い用取付部を備える請求項１に記載の仮囲い支持構造。
【請求項３】
前記ベース杭を地盤から取外す取外し具を有し、ベース杭は取外し具が係脱される取外し用係脱部を備える請求項１又は２に記載の仮囲い支持構造。
【請求項４】
前記ベース杭の差込部が差込孔からなり、差込棒が差込まれていない差込孔に封着される土留めキャップを有する請求項１〜３のいずれかに記載の仮囲い支持構造。
【考案の詳細な説明】
【技術分野】
【０００１】
本考案は建築工事現場等で用いられる仮囲い支持構造に関する。
【背景技術】
【０００２】
従来、仮囲い支持構造として、特許文献１に記載の如く、地盤に打込まれる打込み杭にガードフェンス脚差込みパイプを取付け、このパイプに差込まれるガードフェンス脚に仮囲いを支持するものがある。
【０００３】
従来の仮囲い支持構造において、一部の仮囲いを取外して資材搬出入口を形成する等に際しては、地盤に打込んだ打込み杭をその都度、該地盤から抜き取ることとしている。
【先行技術文献】
【特許文献】
【０００４】
【特許文献１】実登3002862
【考案の概要】
【考案が解決しようとする課題】
【０００５】
しかしながら、従来の仮囲い支持構造において、強風等による仮囲いの倒壊を未然に防止するために、打込み杭は大きな引抜き抗力を得るように地盤に対して強固に打込まれている。
【０００６】
このように強固に打込まれた打込み杭を地盤からきれいに抜き取ることはできず、これによって地盤面に生じた乱れが一旦取外した一部の仮囲いの復旧を困難にする。即ち、打込み杭の再度の打ち直しは、地盤面の乱れた抜き取り跡になされるものになり、打込み杭の健全な打込み姿勢、打込み強度を再現できない。従って、この打込み杭に仮囲いを支持してその水平度、垂直度、強度等の復旧を図ることができず、仮囲いの歪み等を生じて工事現場の保全、安全性の確保に支障を生ずるおそれがある。
【０００７】
尚、仮囲い支持構造はある工事現場での使用後に、その構成部材の全てが回収され、次の工事現場で繰り返し使用されることが望まれる。
【０００８】
本考案の課題は、仮囲い支持構造において、一部の仮囲いを簡易に取外し可能にするとともに、その整然とした復旧を簡易に図るとともに、その構成部材の全てを複数の工事現場で繰り返し使用することにある。
【課題を解決するための手段】
【０００９】
請求項１に係る考案は、仮囲い支持構造において、地盤に着脱可能に打込まれるベース杭と、ベース杭の差込部に着脱可能に差込まれ、仮囲いを支持する差込棒とを有してなるようにしたものである。
【００１０】
請求項２に係る考案は、請求項１に係る考案において更に、前記差込棒に着脱可能に挿着される支柱を有し、支柱は仮囲いが取付けられる仮囲い用取付部を備えるようにしたものである。
【００１１】
請求項３に係る考案は、請求項１又は２に係る考案において更に、前記ベース杭を地盤から取外す取外し具を有し、ベース杭は取外し具が係脱される取外し用係脱部を備えるようにしたものである。
【００１２】
請求項４に係る考案は、請求項１〜３のいずれかに係る考案において更に、前記ベース杭の差込部が差込孔からなり、差込棒が差込まれていない差込孔に封着される土留めキャップを有するようにしたものである。
【考案の効果】
【００１３】
（請求項１）
(a)地盤に打込んだベース杭の差込部に差込棒を差込み、この差込棒に仮囲いを支持することにて仮囲いを形成できる。一部の仮囲いを取外して資材搬出入口を形成する等に際しては、差込棒を地盤面に残されるベース杭の差込部から簡易に引抜くことができる。そして、一旦取外した一部の仮囲いの復旧時には、地盤面に残されているベース杭の差込部に差込棒を再び確実に差込みでき、これによって健全に再現された差込棒に再び仮囲いを支持することができ、仮囲いの整然とした復旧（水平度、垂直度、強度等）を図ることができる。
【００１４】
(b)仮囲いがある工事現場での使用を終わった撤去時には、地盤に着脱可能なベース杭を地盤から簡易に取外しできる。従って、仮囲いを支持するための、ベース杭を含む全ての構成部材を回収し、次の工事現場における繰り返し使用に供することができる。
【００１５】
（請求項２）
(c)前記差込棒に着脱可能に挿着される支柱を有し、支柱は仮囲いが取付けられる仮囲い用取付部を備える。仮囲いを差込棒に直に取付けるものでないため、差込棒を短尺にできる。従って、ベース杭の地盤への打込み時に、ベース杭の差込部に差込んだ差込棒をハンマーにて打撃することにより、ベース杭の打込み作業性を向上できる。
【００１６】
(d)仮囲いが取付けられた支柱を差込棒に着脱可能に挿着するものであり、支柱を差込棒に締結するクランプを電動ドライバにより着脱するものに比して、支柱の取付け、取外しの作業性を向上できる。
【００１７】
また、支柱は差込棒に被着されて該差込棒に支持されるから、該支柱の材質、長さ、外観等のデザインの自由度向上を図ることができる。
【００１８】
（請求項３）
(e)前記ベース杭を地盤から取外す取外し具を有し、ベース杭は取外し具が係脱される取外し用係脱部を備える。取外し具をベース杭の取外し用係脱部に係合し、この取外し具を用いて該ベース杭を地盤に対してこじる等により、ベース杭を地盤から簡易に取外し、その取外し作業性を向上できる。
【００１９】
（請求項４）
(f)前記ベース杭の差込部が差込孔からなり、差込棒が差込まれていない差込孔に封着される土留めキャップを有する。一部の仮囲いを取外して資材搬出入口を形成する等に際し、差込棒が引抜かれたベース杭の差込孔に土留めキャップを封着することにより、地盤面の土砂が該差込孔に侵入することを防止できる。
【図面の簡単な説明】
【００２０】
【図１】図１はベース杭と差込棒を示す模式図である。
【図２】図２はベース杭と差込棒と支柱の組立状態を示す模式図である。
【図３】図３はベース杭と土留めキャップを示す模式図である。
【図４】図４はベース杭の取外し具を示す模式図である。
【図５】図５は仮囲いの施工手順を示す模式図である。
【考案を実施するための形態】
【００２１】
図１、図２に示した本考案の仮囲い支持構造は、ベース杭１０と差込棒２０と支柱３０を構成部材として用い、工事現場に設置されるガードフェンス等の仮囲い１（図５）を支持する。
【００２２】
ベース杭１０は、図１〜図３に示す如く、鉄又はアルミ等からなり、地盤Ｇに着脱可能に打込まれる。ベース杭１０は、地盤に打込まれる先端尖り部１１を閉塞された有底筒状（無底筒状でも可）の中空体からなり、差込棒２０が差込まれる差込孔（差込部）１２を上端側に開口している。
【００２３】
ベース杭１０は、図４に示した取外し具４０の二又状突起４１が係脱される２個の小径パイプ材からなる取外し用係脱部１３を、上端側外周の直径上２ヵ所に溶接されて備える。取外し具４０は、地盤に打込まれたベース杭１０の取外し用係脱部１３に二又状突起４１を係入してこじることにより、該ベース杭１０を地盤から取外し可能にする。尚、ベース杭１０の地盤への打込み深さは、ベース杭１０の差込孔１２の上端開口面を地上面と面一にする深さ、又はベース杭１０の取外し用係脱部１３の上端面を地盤面と面一にする深さ、もしくはベース杭１０の取外し用係脱部１３の下端面を地盤面と面一にする深さ等のいずれであっても良い。
【００２４】
ベース杭１０は、図３に示す如く、土留めキャップ１４を有する。土留めキャップ１４は、チェーン１５等によりベース杭１０に連結され、差込棒２０が差込まれていない差込孔１２に封着され、地盤に打込まれたベース杭１０の差込孔１２への土砂の侵入を防止する。
【００２５】
差込棒２０は、図２に示す如く、鉄又はアルミ等からなり、ベース杭１０の差込孔１２に着脱可能に差込まれる。差込棒２０は、大径パイプ材からなる有天筒状の本体部２１の下端側に棒材からなる挿入部２２を圧入等により嵌合されてなり、挿入部２２がベース杭１０の差込孔１２に差込まれる。差込棒２０は、ベース杭１０の差込孔１２に差込まれた状態で、仮囲い１を直接又は間接に（本実施例では支柱３０を介して）支持する。差込棒２０が支柱３０を介して仮囲い１を間接に支持するとき、差込棒２０の全長を仮囲い１の高さより短尺にできる。
【００２６】
尚、差込棒２０は、挿入部２２をベース杭１０の差込孔１２に差込んだ状態で、本体部２１の下端面をベース杭１０の上端面に突き当て、本体部２１の上端面をハンマーで打撃することにより、ベース杭１０の先端尖り部１１を地盤に打込みできる。
【００２７】
支柱３０は、図２に示す如く、鉄又はアルミ等のパイプ材からなり、差込棒２０に着脱可能に挿着され、仮囲い１が取付けられる仮囲い用取付部３１を備える。支柱３０の全長は、仮囲い１の高さと概ね同一とされ、差込棒２０の本体部２１の全長より長尺とされる。支柱３０は、差込棒２０の本体部２１に挿着されたとき、差込棒２０の挿入部２２が差込まれているベース杭１０の取外し用係脱部１３の上端面に衝合する。仮囲い用取付部３１は、支柱３０の外周の長さ方向複数位置に設けられる小径パイプ材からなり、仮囲い１の外縁に設けてある取付フック２が係脱可能に取付けられる（図５）。但し、仮囲い１の外縁のフック２を小径パイプ材に変更し、支柱３０の仮囲い用取付部３１として設ける小径パイプ材をフックに変更しても良い。
【００２８】
以下、仮囲い１の施工手順について説明する（図５）。このとき、本考案のベース杭１０、差込棒２０及び支柱３０は工事現場において、少なくとも資材搬出入口を形成することが予定されている部分に設け、他の部分には本考案によらない他の支持杭等の仮囲い支持手段を設置できる。
【００２９】
(1)ベース杭１０を地盤に着脱可能に打込む（図５（Ａ））。
本実施例では、差込棒２０の挿入部２２をベース杭１０の差込孔１２に差込み、差込棒２０の本体部２１の上端面をハンマーで打撃することにより、ベース杭１０の先端尖り部１１を地盤に打込む。
【００３０】
(2)ベース杭１０の差込孔１２に差込棒２０の挿入部２２を着脱可能に差込む（図５（Ａ））。本実施例では、上述(1)において既になされる。
【００３１】
(3)差込棒２０の本体部２１に支柱３０を着脱可能に挿着する（図５（Ｂ））。
【００３２】
(4)仮囲い１の１つの外縁に設けられている取付フック２が支柱３０の仮囲い用取付部３１に係脱可能に取付けられる（図５（Ｃ））。
【００３３】
尚、支柱３０の仮囲い用取付部３１に取付けられない仮囲い１の他方の外縁に設けられている取付フック２は、この支柱３０と相隣る他の支柱に取付けられる。他の支柱は、支柱３０と同様のものであっても良く、又は本考案と異なる他の仮囲い支持手段を構成するものであっても良い。
【００３４】
(5)一部の仮囲い１を取外して資材搬出入口を形成する等に際しては、仮囲い１を支柱３０から取外し、支柱３０を差込棒２０から抜き取り、差込棒２０をベース杭１０から抜き取る。地盤にはベース杭１０が残り、このベース杭１０の差込孔１２に土留めキャップ１４が封着される（図５（Ｄ））。これにより、一部の仮囲い１を取外した資材搬出入口が形成される。
【００３５】
(6)工事現場の工事完了により仮囲い１を完全に撤去するに際しては、取外し具４０の二又状突起４１をベース杭１０の取外し用係脱部１３に係入し、ベース杭１０を地盤に対してこじることにより、ベース杭１０を地盤から取外す（図５（Ａ））。
【００３６】
本実施例よれば以下の作用効果を奏する。
(a)地盤に打込んだベース杭１０の差込孔１２に差込棒２０を差込み、この差込棒２０に仮囲い１を支持することにて仮囲い１を形成できる。一部の仮囲い１を取外して資材搬出入口を形成する等に際しては、差込棒２０を地盤面に残されるベース杭１０の差込孔１２から簡易に引抜くことができる。そして、一旦取外した一部の仮囲い１の復旧時には、地盤面に残されているベース杭１０の差込孔１２に差込棒２０を再び確実に差込みでき、これによって健全に再現された差込棒２０に再び仮囲い１を支持することができ、仮囲い１の整然とした復旧（水平度、垂直度、強度等）を図ることができる。
【００３７】
(b)仮囲い１がある工事現場での使用を終わった撤去時には、地盤に着脱可能なベース杭１０を地盤から簡易に取外しできる。従って、仮囲い１を支持するための、ベース杭１０を含む全ての構成部材を回収し、次の工事現場における繰り返し使用に供することができる。
【００３８】
(c)前記差込棒２０に着脱可能に挿着される支柱３０を有し、支柱３０は仮囲い１が取付けられる仮囲い用取付部３１を備える。仮囲い１を差込棒２０に直に取付けるものでないため、差込棒２０を短尺にできる。従って、ベース杭１０の地盤への打込み時に、ベース杭１０の差込孔１２に差込んだ差込棒２０をハンマーにて打撃することにより、ベース杭１０の打込み作業性を向上できる。
【００３９】
(d)仮囲い１が取付けられた支柱３０を差込棒２０に着脱可能に挿着するものであり、支柱３０を差込棒２０に締結するクランプを電動ドライバにより着脱するものに比して、支柱３０の取付け、取外しの作業性を向上できる。
【００４０】
また、支柱３０は差込棒２０に被着されて該差込棒２０に支持されるから、該支柱３０の材質、長さ、外観等のデザインの自由度向上を図ることができる。
【００４１】
(e)前記ベース杭１０を地盤から取外す取外し具４０を有し、ベース杭１０は取外し具４０が係脱される取外し用係脱部１３を備える。取外し具４０をベース杭１０の取外し用係脱部１３に係合し、この取外し具４０を用いて該ベース杭１０を地盤に対してこじる等により、ベース杭を地盤から簡易に取外し、その取外し作業性を向上できる。
【００４２】
(f)前記ベース杭１０の差込部が差込孔１２からなり、差込棒２０が差込まれていない差込孔１２に封着される土留めキャップ１４を有する。一部の仮囲い１を取外して資材搬出入口を形成する等に際し、差込棒２０が引抜かれたベース杭１０の差込孔１２に土留めキャップ１４を封着することにより、地盤面の土砂が該差込孔１２に侵入することを防止できる。
【００４３】
以上、本考案の実施例を図面により詳述したが、本考案の具体的な構成はこの実施例に限られるものではなく、本考案の要旨を逸脱しない範囲の設計の変更等があっても本考案に含まれる。例えば、工事現場の全ての仮囲い１をベース杭１０、差込棒２０及び支柱３０からなる本考案の仮囲い支持手段により支持しても良い。このとき、台風等の強風による全ての仮囲い１の倒壊を完全に防ぐため、各仮囲い１に対応するベース杭１０を地盤に残しながら、各仮囲い１を対応する支柱３０から取外し、該支柱３０を差込棒２０から抜き去り、該差込棒２０をベース杭１０から抜き取ることができる。これにより、全ての仮囲い１を簡易に一時的に取外しでき、その後簡易に復旧できる。
【００４４】
ベース杭１０は、ハンマーで直に打撃して打込まれても良い。また、仮囲い１が差込棒２０に直に取付けられても良く、その場合には支柱３０が不要になる。
【００４５】
ベース杭１０の差込部は孔（差込孔１２）に限定されない。また、ベース杭１０の差込部に着脱可能に差込まれた差込棒２０の差込状態を一時的に固定する手段を備えても良い。また、差込棒２０に着脱可能に挿着された支柱３０の挿着状態を一時的に固定する手段を備えても良い。
【産業上の利用可能性】
【００４６】
本考案は、仮囲い支持構造において、地盤に着脱可能に打込まれるベース杭と、ベース杭の差込部に着脱可能に差込まれ、仮囲いを支持する差込棒とを有する。これにより、仮囲い支持構造において、一部の仮囲いを簡易に取外し可能にするとともに、その整然とした復旧を簡易に図るとともに、その構成部材の全てを複数の工事現場で繰り返し使用することができる。
【符号の説明】
【００４７】
１  仮囲い
１０  ベース杭
１２  差込孔（差込部）
１３  取外し用係脱部
１４  土留めキャップ
２０  差込棒
３０  支柱
３１  仮囲い用取付部
４０  取外し具
【図１】
0003181764.tif 000003
【図２】
0003181764.tif 000004
【図３】
0003181764.tif 000005
【図４】
0003181764.tif 000006
【図５】
0003181764.tif 000007